【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
強磁性体に対して工具を支持し固定する磁気工具スタンドであって、
（ａ）オン、オフの切り替え可能な第１及び第２の磁石ユニットであり、それぞれが磁束源を提供する少なくとも１つの永久磁石、及び当該磁石ユニットの作用面で少なくとも一対の反対に極性化可能な磁極片を有し、該磁極片は、強磁性体に接した状態にて各磁石ユニットで閉じた磁気回路を提供し強磁性体へ工具スタンドを磁気的に取り付けるように配置される、磁石ユニットと、
（ｂ）支持構造体であり、（ｉ）支持構造体へ工具を解放可能あるいは永久的に固定するための装着構造が設けられる第１側面、（ｉｉ）第１側面の反対側で、当該工具スタンドの使用状態において工具スタンドが固定される強磁性体に面する第２側面、及び、（ｉｉｉ）第１側面と第２側面との間で延在し、強磁性体あるいはワークピースとの相互作用のため工具のワークピース相互作用部品の第１側面から第２側面へ通過を可能にする窓あるいは切欠き、を有する支持構造体と、
（ｃ）支持構造体に、第１及び第２の磁石ユニットをそれぞれ解放可能に固定する第１及び第２のマウントであり、窓あるいは切欠きの対向側にて互いに間をあけた関係で位置し、支持構造体でそれぞれの磁石ユニットに関して並列に延在する回転軸周りでの回転運動の少なくとも１つの自由度を提供するように構成され、第１位置及び第２位置を含む操作位置範囲に作用面を回転可能にする第１及び第２のマウントと、
ここで第１位置は、強磁性体の少なくとも１つの平面に磁極片を置くために磁石ユニットの作用面が同一平面あるいは並列した位置であり、第２位置は、強磁性体の湾曲面に両方の磁石ユニットの磁極片を置くために第１及び第２の磁石ユニットの作用面が互いに角度が付いた位置である、
を備えた磁気工具スタンド。
【請求項２】
窓は、支持構造体のほぼ中央位置に位置する、請求項１に記載の磁気工具スタンド。
【請求項３】
切欠きは、支持構造体のエッジにて始まり第１側面と第２側面との間で延在し支持構造体のほぼ中央位置で終わる、請求項１に記載の磁気工具スタンド。
【請求項４】
上記マウントは、受け台マウントであり、磁石ユニットは、支持構造体の対向する腹部あるいは脚の間で延在するそれぞれの旋回軸周りにそれぞれ回転可能なように支持構造体に留められる、請求項１に記載の磁気工具スタンド。
【請求項５】
少なくとも１つのマウントは、支持構造体に留められながら、互いの方及び互いから離れる方へ磁石ユニットの相対的な直動変位をさらに可能にするよう構成されている、請求項１に記載の磁気工具スタンド。
【請求項６】
直動変位は、直線的な、湾曲した、あるいはその両方である、請求項５に記載の磁気工具スタンド。
【請求項７】
支持構造体は、上板と、互いから間隔をあけて並設され上板から垂直である少なくとも一対の脚板とを備え、磁石ユニットは、窓あるいは切欠きの両側において脚板間に位置し支持される、請求項２又は３に記載の磁気工具スタンド。
【請求項８】
各磁石ユニット用のマウントは、（ａ）一対の相等しいスロットと、ここで対向する各脚板における１つのスロットは鏡像位置にある、（ｂ）磁石ユニットの軸方向に対向する端面に固定され、かつ上記相等しいスロット内に下記（ｉ）及び（ｉｉ）を可能にする態様で受け入れられる、一対の支持ボルトあるいはピンと、（ｉ）相等しいスロット内に受け入れられる支持ボルトあるいはピンの間に延在する旋回軸周りへのそれぞれの磁石ユニットの回転、（ｉｉ）上記スロットに沿った直動変位、
を備えた請求項５又は７に記載の磁気工具スタンド。
【請求項９】
相等しいスロットは、直線的であり、上板を備える平面に並列に、あるいは上記平面に傾斜して延在する、請求項８に記載の磁気工具スタンド。
【請求項１０】
各磁石ユニット用のマウントは、（ａ）対向する脚板において同軸に位置する一対の貫通穴、及び（ｂ）磁石ユニットの軸方向の対向端面に固定され、かつ、同軸に配列された一対の貫通穴により形成される旋回軸周りへの磁石ユニットの回転を可能にする態様にて貫通穴に受け入れられる、一対の支持ボルトあるいはピン、を備える、請求項１又は７に記載の磁気工具スタンド。
【請求項１１】
各磁石ユニット用のマウントは、（ａ）脚板における一対の鏡像湾曲スロットであり、それぞれの曲率中心としてそれぞれの磁石ユニットの旋回軸を有する、鏡像湾曲スロット、及び（ｂ）磁石ユニットの軸方向の対向端面で固定され、かつ、その旋回軸周りへの磁石ユニットの回転用のゲーテッドガイドを提供する態様において湾曲スロットに受け入れられる、一対のフォロワーピンあるいはボルト、をさらに備えた、請求項１０に記載の磁気工具スタンド。
【請求項１２】
磁石ユニットは、台形、特に長方形の軸方向端面を有する実質的に箱状の６面体の外部ハウジングを備え、ここで磁極片は、台形の断面であり、かつ、外部ハウジングの一つの側面で提供される作用面において間をあけた関係にてハウジングの軸長に沿って実質的に延在する一対の強磁性極レールによって提供される、請求項１、５、又は６に記載の磁気工具スタンド。
【請求項１３】
支持プレートは、上記窓を提供する中心貫通穴を有する環状の上板を備え、ここで脚板は、支持プレートを一体として有する一対の腹部で、並列に間をあけた関係で支持プレートの幅方向末端縁に沿って支持プレートに垂直に延在し、それにより支持構造体が全体としてＵ形状断面を有する、腹部を備える、請求項７に記載の磁気工具スタンド。
【請求項１４】
腹部は、それの下部自由終端縁に沿って実質的に三角形あるいは湾曲した凹部を備える、請求項１３に記載の磁気工具スタンド。
【請求項１５】
支持構造体は、横切る腹部により連結された一対の第１腹部間に切欠きが位置するＵ形状の上板を備え、ここで脚板は、（ｉ）垂直に延在し、Ｕ形状の支持プレートの一対の第１腹部の終端での一対の第１終端腹部、及び、（ｉｉ）垂直に延在し、横切る腹部の終端に位置する第２終端腹部、を備え、ここで一対の第１終端腹部及び第２終端腹部は、並列で間をあけた関係で支持プレートの幅方向終端縁に沿って延在し、各磁石ユニットは、第２終端腹部と、第１終端腹部のうちの１つとで支持される、請求項７に記載の磁気工具スタンド。
【請求項１６】
操作位置にあるときの動きに対抗して磁石ユニットを解放可能に固定するため、磁石ユニットと支持構造体との間で作動する拘束機構をさらに備える、請求項１に記載の磁気工具スタンド。
【請求項１７】
拘束機構は、ハンドルによって操作可能なクランピング配置を備える、請求項１６に記載の磁気工具スタンド。
【請求項１８】
装着構造は、ファスナーによって支持構造体に取り外し可能に留められ、装着構造は、上記窓あるいは切欠き上に渡るように支持構造体の第１側面から離れて延在するサイドサポートに置かれる工具マウントを備え、該工具マウントは、サイドサポートに沿った直進運動に関して好ましくは留められ、サイドサポートで規定位置を固定することを任意的に許可する、請求項２又は３に記載の磁気工具スタンド。
【請求項１９】
装着構造は、サイドサポートに沿って工具マウントを移動させるラック及びピニオン駆動をさらに備える、請求項１８に記載の磁気工具スタンド。
【請求項２０】
支持構造体へ装着された、あるいは支持構造体と一体化された動力工具との組み合わせにおいて、動力工具はワークピースを機械加工するのに適したものである、請求項１に記載の磁気工具スタンド。
【請求項２１】
強磁性体に工具を固定する磁気ベースであって、
オン、オフの切り替え可能な第１及び第２の磁石ユニットであり、それぞれが強磁性体に置かれて、接触した状態にて解放可能な形態にて強磁性体に磁気的に取り付け可能であるために、それぞれが磁束源としての永久磁石、及び、反対に極性化可能な極延長レールを有する作用面を有する、磁石ユニットと、
第１及び第２の磁石ユニットを有し工具を固定するための装着構造を含む支持構造体であって、支持構造体の略中央位置に延在する窓あるいは切欠きでワークピース係合あるいは測定用具が支持構造体の第１側から第２側へ延在可能である窓あるいは切欠きを任意的に有する、支持構造体と、
を備え、
第１及び第２の磁石ユニットは、拘束可能な第１位置及び第２位置を含む操作位置間で支持構造体に対して操作面の配向を変更可能にするそれぞれ並列に延在する旋回軸周りに回転するために、窓あるいは切欠きの対向側において支持構造体に間をあけた関係で支持構造体に装着され、ここで上記第１位置は、強磁性体の平坦表面に置くために第１及び第２の磁石ユニット作用面が共通平面あるいは並列平面にほぼ存在する位置であり、上記第２位置は、強磁性体の湾曲表面に置くために少なくとも２つの磁石ユニットの作用面が互いに角度が付いた位置である、
磁気ベース。
【請求項２２】
工具が強磁性体の表面に支持され解放可能に固定可能であるためのスタンドを有する動力工具であって、
工具のモーターが支持あるいは置かれる支持構造体と、
ここでモーターは、工具の材料切断用具を作動させる役目をする、
磁束源として少なくとも１つの永久磁石を備え、強磁性体に解放可能な態様にて工具を磁気的に留めて固定するための２つのオン、オフの切り替え可能な磁石ユニットと、
ここで各磁石ユニットは、磁石ユニットの作用面に少なくとも一対の反対に極性化可能な磁極片を有し、該磁極片は、強磁性体の表面に支持構造体を立設し磁石ユニットのオン状態において強磁性体と共に閉じた磁気回路を生成する役目をする、
各磁石ユニット用の支持構造体での分離したマウントと、
該マウントは、支持構造体にて間をあけた関係で、支持構造体の上部側と下部側との間で延在する窓あるいは切欠きの対向する両側に位置し、各マウントは、支持構造体に留められたそれぞれの磁石ユニット用の旋回軸周りへの少なくとも１つの回転自由度を提供するように構成され、上記旋回軸は互いに並列に延在し、それにより２つの磁石ユニットの磁極片対は、第１位置及び第２位置を含む複数の操作位置で回転、拘束されることが可能であり、ここで上記第１位置は、２つの磁石ユニットの磁極片対が共通平面に位置し、強磁性体の平面に置くことができる位置であり、上記第２位置は、２つの磁石ユニットの磁極片対が互いに角度をつけられ、強磁性体の椀曲面に置くことができる位置である、
支持構造体において２つの磁石ユニットのそれぞれの操作位置の選択された位置を選択的かつ解放可能に固定するファスナーと、
を備えた動力工具。